(57)【要約】      （修正有）【課題】粘度の高い液状物であっても収納容器の入口部におかれた詰替用袋を手で支え続ける必要がなく、移し替えに失敗することのない収納容器への液状物詰替装置を得る。【解決手段】（イ）軟質プラスチック製の下側円筒部21と上側拡開部22とが連接され、円筒部21は収納容器の入口部5cに嵌合又は引抜き可能で、拡開部22は上方に向かって一方側が次第に拡開する傾斜面が形成されている口止め部材2と、（ロ）軟質プラスチック製の弧状曲面を有する一方側緩傾斜受皿31と他方側急傾斜受皿32とが連接され下方は注入孔33に収斂し、上方は挿着開口部34に広がって略朝顔状に形成されている支持部材3とを備え、（ハ）拡開部22の一方側傾斜面に緩傾斜受皿31を当接し他方側上端に急傾斜受皿32を当接し、注入孔33を円筒部21の内側において固着し、（ニ）挿着開口部34に押込まれた詰替用袋6の重心が入口部軸芯を通る鉛直線上近傍に保持可能とされている液状物詰替装置。【選択図】図４
2005153935.tif 000002
【特許請求の範囲】
【請求項１】
（イ）軟質プラスチック製の下側円筒部と上側拡開部とが連接され、前記円筒部は収納容器の入口部に嵌合又は引抜き可能で、前記拡開部は上方に向かって一方側が次第に拡開する傾斜面が形成されている口止め部材と、（ロ）軟質プラスチック製の弧状曲面を有する一方側緩傾斜受皿と他方側急傾斜受皿とが連接され下方は注入孔に収斂し、上方は挿着開口部に広がって略朝顔状に形成されている支持部材とを備え、（ハ）前記拡開部の一方側傾斜面に前記緩傾斜受皿を当接し他方側上端に前記急傾斜受皿を当接し、前記注入孔を前記円筒部の内側において前記口止め部材及び支持部材を固着し、（ニ）前記挿着開口部に押込まれた詰替用袋の重心が前記入口部軸芯を通る鉛直線上近傍に保持可能とされていることを特徴とする液状物詰替装置。
【請求項２】
円筒部の下端縁に曲面状のフランジが突設され、該フランジが収納容器の肩部に実質的に面接触可能とされていることを特徴とする請求項１に記載の液状物詰替装置。
【請求項３】
拡開部の傾斜面の内面及び緩傾斜受皿の外面の鉛直方向に対する各傾斜角αは４２度±５度に、急傾斜受皿の外面の鉛直方向に対す傾斜角βは１３度±１度にそれぞれ傾斜していることを特徴とする請求項１又は２に記載の液状物詰替装置。
【請求項４】
請求項１〜３のいずれかに記載の液状物詰替装置において、硬質プラスチック製の刃先をもった先端部と柔軟性細幅材製の連結部とで形成されている穿孔部材が該刃先を下方に向けて支持部材に装着されていることを特徴とする液状物詰替装置。
【請求項５】
穿孔部材の先端部は平坦な基板と先細り略三角形状の刃をもった刃先とを有し、連結部は平坦な取付片、略円弧状の湾曲片及び平坦な接続片とで連続して形成され、前記接続片に固着された前記基板の先端に前記刃先がおかれ、前記取付片を緩傾斜受皿外面に固着し、前記湾曲片を前記緩傾斜受皿外面から上端縁を跨がって挿着開口部に達せしめ、前記先端部は前記挿着開口部内において上下左右に移動可能とされていることを特徴とする請求項４に記載の液状物詰替装置。
【発明の詳細な説明】
【技術分野】
【０００１】
本発明は、洗剤、食品、薬剤等の液状物の収納容器を繰返し使用するための詰替装置に関する。
【背景技術】
【０００２】
従来、環境保護対策として洗剤、食品、薬剤等の液状物の収納容器を使い捨てとせず反復して使用するために、成型された略縦長方形体状のプラスチック製の袋に詰めて詰替用袋として販売されている。そしてこの詰替用袋を収納容器に詰替えるには、液状物を充填し密封した詰替用袋の隅角に設けられた切取り線に沿って鋏等で切断し、該切断部分を収納容器上端の入口部に直接差込んで詰替用袋を立てて液状物を移し替えている。
【０００３】
又漏斗を収納容器の入口部に差込んで、漏斗上に詰替用袋をおいて前記切断部分から液状物を移し替えることも行われている。
【発明の開示】
【発明が解決しようとする課題】
【０００４】
前記詰替えにおいて詰替用袋の隅角に設けられた切取り線に沿って鋏等で切断する方法では、液状物は量が多く粘度の高いものが多く移し替えに時間がかかり、狭い収納容器の入口部に直接おかれた詰替用袋は不安定で手で支え続けなければならず、移し替えに失敗することが多く、手間暇がかかるものであった。
又、詰替えにおいて漏斗を収納容器の入口部に差込むのは、漏斗が入口部に固着されておらず詰替用袋も不安定であり、漏斗自体は広口で嵩張り折畳み不能で持運びに不便であった。
これに対し、本発明は液状物の量の多いもの、粘度の高いものであっても収納容器の入口部におかれた詰替用袋を手で支え続ける必要がなく、畳むことができて嵩張ることなく、労力が大幅に削減可能で移し替えに失敗することのない収納容器への液状物詰替装置を得ることを目的とする。
【課題を解決するための手段】
【０００５】
この目的を達成するために、
請求項１の発明にあっては、（イ）軟質プラスチック製の下側円筒部と上側拡開部とが連接され、前記円筒部は収納容器の入口部に嵌合又は引抜き可能で、前記拡開部は上方に向かって一方側が次第に拡開する傾斜面が形成されている口止め部材と、（ロ）軟質プラスチック製の弧状曲面を有する一方側緩傾斜受皿と他方側急傾斜受皿とが連接され下方は注入孔に収斂し、上方は挿着開口部に広がって略朝顔状に形成されている支持部材とを備え、（ハ）前記拡開部の一方側傾斜面に前記緩傾斜受皿を当接し他方側上端に前記急傾斜受皿を当接し、前記注入孔を前記円筒部の内側において前記口止め部材及び支持部材を固着し、（ニ）前記挿着開口部に押込まれた詰替用袋の重心が前記入口部軸芯を通る鉛直線上近傍に保持可能とされている液状物詰替装置により解決した。
請求項２の発明にあっては、円筒部の下端縁に曲面状のフランジが突設され、該フランジが収納容器の肩部に実質的に面接触可能とされている請求項１に記載の液状物詰替装置とすることができる。
請求項３の発明にあっては、拡開部の傾斜面の内面及び緩傾斜受皿の外面の鉛直方向に対する各傾斜角αは４２度±５度に、急傾斜受皿の外面の鉛直方向に対す傾斜角βは１３度±１度にそれぞれ傾斜していることを特徴とする請求項１又は２に記載の液状物詰替装置とするのが好ましい。
請求項４の発明にあっては、請求項１〜３のいずれかに記載の液状物詰替装置において、硬質プラスチック製の刃先をもった先端部と柔軟性細幅材製の連結部とで形成されている穿孔部材が該刃先を下方に向けて支持部材に装着されている液状物詰替装置とするのが好ましい。
請求項５の発明にあっては、穿孔部材の先端部は平坦な基板と先細り略三角形状の刃をもった刃先とを有し、連結部は平坦な取付片、略円弧状の湾曲片及び平坦な接続片とで連続して形成され、前記接続片に固着された前記基板の先端に前記刃先がおかれ、前記取付片を緩傾斜受皿外面に固着し、前記湾曲片を前記緩傾斜受皿外面から上端縁を跨がって挿着開口部に達せしめ、前記先端部は前記挿着開口部内において上下左右に移動可能とされている請求項４に記載の液状物詰替装置とすることができる。
【発明の効果】
【０００６】
本発明は液状物の量の多いもの、粘度の高いものであっても収納容器の入口部におかれた詰替用袋を手で支え続ける必要がなく、畳むことができて嵩張ることなく、労力が大幅に削減可能で移し替えに失敗することがなく、容器リサイクルの環境保護対策に有効な収納容器の液状物詰替装置を得ることができる。
【発明を実施するための最良の形態】
【０００７】
本発明の実施の形態を図面を参照して説明する。
図１は、本発明の一例及び他例の液状物詰替装置の口止め部材の各図である。
図２は、図１の液状物詰替装置の支持部材の各図である。
図３は、図１の液状物詰替装置の穿孔部材の各図である。
図４は、図１〜３の液状物詰替装置の概略組立て図及び使用状態説明用の各図である。  以下においては、収納容器に本発明の液状物詰替装置を装着し、詰替作業を実施する際において図４に示す状態を上下、左右とし、詰替用袋を押込む側（右）を側面とし、紙面手前側を正面として説明する。市販されている洗剤、食品、薬剤等の液状物の詰替用袋は通常略縦長方形状の軟質プラスチック製で液状物が通常２００〜９００ｍｌ充填密閉され中部が膨れた略蒲鉾状に形成されている。又液状物が詰替えられる収納容器５は、図４（ｂ）（ｃ）に一部を示す通常底付筒状のボトル本体５ａと上側の肩部５ｂと上端に開口する円筒状の入口部５ｃとを有し、入口部５ｃ外径は２７〜４２ｍｍが大部分で外周にキャップ用止めねじ又は凹凸が設けられ、ボトル本体５ａの容量は液状物が通常２００〜９００ｍｌ収納可能とされている。
【０００８】
図１乃至３によって本発明の一例の液状物詰替装置１の構成を説明する。液状物詰替装置１は、口止め部材２、支持部材３及び穿孔部材４を有している。ここで、穿孔部材４は必須の構成要素ではなく省略してもよい。
図１（ａ）（ｂ）に示すのは口止め部材２の一例で、軟質プラスチック例えばポリエチレン、ポリ塩化ビニル等の厚さ通常２〜３ｍｍの薄板製で、板素材より溶着若しくは接着によるか、又は型を用いた一体成型により作られ、下側の薄肉の円筒部２１と上側の薄肉の拡開部２２とが上方寄りの中部に一体に連接されている。円筒部２１の内径（半径ｒで示す）は、後述する収納容器５の上端の入口部５ｃの外径と同じか僅かに小さく通常差が−０．５ｍｍ以内にとられている。
拡開部２２は、下端末は円形の円筒部２１に連接され、上端末は一方側［図１（ａ）、（ｂ）では右側］は円筒部２１の軸芯より一方側に間隔ｐだけ寄った位置を軸心とする円弧面（半径Ｒ  で示す）で半径ｒ＜Ｒにとられ、他方側［図１（ａ）、（ｂ）では左側］は円筒部２１が上方に延長されて半径ｒの円弧面に形成されている。すなわち円筒部２１の上端から上方に拡開部２２に向かって一方側［図１（ａ）、（ｂ）では右側］が次第に拡開する傾斜面が形成され、該傾斜面は図１（ｂ）に示す正面視において鉛直方向に対し内面が傾斜角度αにとられている。これにより口止め部材２は、軟質プラスチックの弾性作用もあって円筒部２１が収納容器５の上端の入口部５ｃに嵌合又は引抜きによって容易に着脱可能で、上側の拡開部２２は上方に向かって一方側が傾斜拡開し他方側は円筒部２１が上方に延長された円弧面に構成されている。
【０００９】
支持部材３は図２に示す通りで、口止め部材２と同様の素材（厚さ通常１〜２ｍｍの薄板製）で同製法で作られ、平面視において一方側［図２（ａ）、（ｂ）では右側］が弧状曲面を有する緩傾斜受皿３１と他方側［図２（ａ）、（ｂ）では左側］が弧状曲面を有する急傾斜受皿３２とが中間で連接され、緩傾斜受皿３１及び急傾斜受皿３２は下方が小寸の注入孔３３に収斂し、上方は詰替用袋の挿着開口部３４に広がって略朝顔状に形成される。ここで、略朝顔状とは旧式の男性用小便器と類似の形状を指す。注入孔３３は本例は傾斜した円形にとられているが、これに限られず楕円、長円、多角形又は異形であってもよい。又注入孔３３は本例では緩傾斜受皿３１［図２（ｂ）では右側］を下にし傾斜して開口しているが、これにより後述する詰替時において液状物が収納容器５の入口部５ｃ内を流れる際に、飛散状態でなくまとまった方向に急速に流下可能であり好ましいが、必ずしもこれに限定されず傾斜なしでもよい。
軸芯を通る鉛直線近傍に向けて流れ易いので好ましいが必ずしもこれに限定されない。
ここで図２（ｂ）に示すように、緩傾斜受皿３１は正面視において鉛直方向に対し、外面が拡開部２２の傾斜面と同じ角度αにとられ、急傾斜受皿３２の外面は角度βにとられ、角度αはβに対し十分大きい値とされている。通常角度αは４２度±５度、角度βは１３度±１度にとるのが後述する収納容器５への詰替の際の詰替用袋６姿勢を安定的に保持できて好ましい。  穿孔部材４は図３に示す通りで、先端部４１と、連結部４２と、固着具４３とを有している。先端部４１は、硬質プラスチック例えばポリアクリル、ポリプロピレン、ポリカーボネイト等の細幅材製で、平坦な基板４１ａと先端の詰替用袋６に小孔を開ける先細り略三角形状の刃をもった刃先４１ｂとが一体に形成されている。連結部４２は、口止め部材２及び支持部材３と同様の素材で作られた細幅材製で、平坦な取付片４２ａと略円弧状の湾曲片４２ｂと平坦な接続片４２ｃとが順次連続して形成され柔軟性を有している。ここで連結部４２は、軟質プラスチックに限定されず、柔軟性を有する例えばベルト状の布、ゴム若しくは皮又は紐状材であってもよい。固着具４３は、接続片４２ｃと基板４１ａとを固着する例えばリベット、小ねじ、ビス、鳩目等で、接続片４２ｃと基板４１ａとを重ね合わせて貫通する穿孔に固着具４３を挿通し互いに分離しないように固着しているが、別体の固着具４３を用いずに接続片４２ｃと基板４１ａとを溶着又は接着等によって互いに固着することとしてもよい。
【００１０】
次に、図１（ｃ）（ｄ）によって本発明の他例の液状物詰替装置１′の口止め部材２′の構成を説明する。
口止め部材２′は、前記口止め部材２とは各部寸法が異なる（本例では僅かに大きい）ものの同様の構成の円筒部２１′及び拡開部２２′を有し、加えて円筒部２１′の下端縁に曲面状本例では正面視半径ｔの円弧状のフランジ２１′ａが突設され、このフランジ２１′ａは収納容器５の上側の肩部５ｂに実質的に面接触可能な形状とされている構成が付加されている。又円筒部２１′の内径（半径ｒ′で示す）は、収納容器５の入口部５ｂの外径よりと同じか僅かに小さくてもよいし、僅かに大きくとってもよい。
その他の各構成要素は同様であり詳細説明は省略する。
そして液状物詰替装置１′は、口止め部材２′、支持部材３及び穿孔部材４を有しているが、穿孔部材４は選択的構成要素である。
【００１１】
図４（ａ）により液状物詰替装置１′の組立てについて説明する。
先ず接続片４２ｃと基板４１ａとを固着具４３で固着した穿孔部材４の取付片４２ａを支持部材３の緩傾斜受皿３１外面に溶着又は接着によって固着し、湾曲片４２ｂを緩傾斜受皿３１外面から上端縁を跨がって挿着開口部３４に達せしめ、湾曲片４２ｂに続いて接続片４２ｃに固着された基板４１ａ及び刃先４１ｂ先端が下方に向けておかれるように支持部材３に穿孔部材４を取付ける。
次に、口止め部材２′の拡開部２２′の角度αの勾配面の内面に支持部材３の緩傾斜受皿３１の角度α外面部分を当接し、拡開部２２′の他方側上端に支持部材３の急傾斜受皿３２の角度βの外面部分を当接した位置におき、支持部材３を口止め部材２′に対して注入孔３３が内側におかれ挿着開口部３４が上方に露出した位置にあるようにして、口止め部材２′及び支持部材３を溶着又は接着により固着し一体化して液状物詰替装置１′の組立てが完了する。ここで注入孔３３の下縁は口止め部材２′下端より距離ｈだけ上方位置に置かれるが、この距離ｈは通常口止め部材２′の全高さの１／２以下にとられる。
このとき、穿孔部材４の取付片４２ａを除く連結部４２及び先端部４１はフリー状態におかれ、略円弧状の湾曲片４２ｂにより連結された先端部４１は挿着開口部３４内において僅かな外力で容易に上下左右に移動可能とされる。
液状物詰替装置１の組立ては、図示省略するが口止め部材２′を口止め部材２に入替えて液状物詰替装置１′と同様になされる。
【００１２】
図１（ｃ）（ｄ）、図２乃至図４により液状物詰替装置１′を用いた詰替用袋６の収納容器５への詰替方法について逐次説明する。
（１）先ず、円筒部２１′の内径（半径ｒ′）が、収納容器５の上端の入口部５ｂの外径と同じか僅かに小さい場合には、図４（ａ）に示す組立てられた液状物詰替装置１′を空の容器５の上から入口部５ｃに円筒部２１′を嵌合すると、円筒部２１′は薄肉の軟質プラスチック製であり入口部５ｃの口径に柔軟に対応し、加えて円筒部２１′の下端縁のフランジ２１′ａが収納容器５の肩部５ｂに面接触し摩擦力が作用し、円筒部２１′が入口部５ｃに密着保持される。
円筒部２１′の内径（半径ｒ′）が入口部５ｂの外径より僅かに大きい場合には緩やかに嵌合されるが、フランジ２１′ａによる肩部５ｂとの面接触による摩擦力が作用し、円筒部２１′が入口部５ｃに密着保持される。
いずれにしても円筒部２１′は、フランジ２１′ａの存在により入口部５ｃの外径変動があっても柔軟に対応可能である。
（２）次に、液状物が充填された横ｘ及び縦ｙの略縦長方形状のプラスチック製の詰替用袋６の下部を横幅方向に圧縮して、詰替用袋６の縦長方向を上下にして支持部材３の挿着開口部３４に下方の注入孔３３の僅か上方位置に達するように押込み、図４（ｂ）に示す状態とする。このとき詰替用袋６の重心は収納容器５の入口部５ｃ軸芯を通る鉛直線上近傍におかれ、穿孔部材４の先端部４１は緩傾斜受皿３１内面と詰替用袋６表面間に挟まれておかれる。
（３）最後に、図４（ｃ）に示すように、手Ａの指で接続片４２ｃと基板４１ａとの固着箇所付近を把持して刃先４１ｂを詰替用袋６下部表面にやや斜め方向に突刺すように外力を加えることにより容易に詰替用袋６に小孔が開けられ、該小孔から詰替用袋６内の液状物がどっと流れ出し直下の注入孔３３から収納容器５の入口部５ｃを通ってボトル本体５ａ内に急速に流下する。このとき詰替用袋６の重心は前記（２）に記載した通り、入口部５ｃ軸芯を通る鉛直線上近傍から充填されている液状物の減少に伴い多少変動はするものの大きくはずれることがないので、支持部材３の挿着開口部３４に置かれた詰替用袋６は液状物の流下中においてもぐらつくことは無く、手で支える必要は全くなく、最後まで円滑に移し替えを遂行できる。
【００１３】
次に図１（ａ）（ｂ）、図２、図３の各構成要素による液状物詰替装置１を用いた詰替用袋６の収納容器５への詰替方法について逐次説明する。
（１）組立てられた液状物詰替装置１は、円筒部２１の内径（半径ｒ）が収納容器５の上端の入口部５ｂの外径と同じか僅かに小さいので、空の容器５の上から入口部５ｃへの嵌合により、フランジ２１′ａはないものの円筒部２１は入口部５ｃに密着保持される。円筒部２１は、フランジ２１′ａがないのでそれだけ構造が単純であるが円筒部２１に比し入口部５ｃの外径変動に対応可能な幅は狭い。
その他の手順（２）（３）は前記液状物詰替装置１′を用いた詰替方法と同様であり、詳細説明は省略する。
【実施例１】
【００１４】
口止め部材２を厚さ３ｍｍのポリ塩化ビニル製で、半径ｒ１６ｍｍ、半径Ｒ２２ｍｍ、傾斜面角度α４２度、傾斜面張出し１０ｍｍ、全高さ４０ｍｍとした。支持部材３を厚さ１．５ｍｍのポリ塩化ビニル製で、緩傾斜受皿３１の一方側角度α４２度、急傾斜受皿３２の他方側角度β１３度、全高さ１６５ｍｍ、注入孔３３を傾斜した円径８ｍｍとした。穿孔部材４の先端部４１を幅１２ｍｍ、厚さ３ｍｍのポリアクリル製で全長７０ｍｍとし刃先４１ｂの長さ１７ｍｍとし、連結部４２を幅１２ｍｍ、厚さ２ｍｍのポリ塩化ビニル製で全長１５０ｍｍ＝取付片４２ａ３０ｍｍ＋湾曲片４２ｂ１００ｍｍ＋接続片４２ｃ２０ｍｍの配分とした。上記口止め部材２、支持部材３及び穿孔部材４を組立て液状物詰替装置１の実施例１を得た。このとき注入孔３３の下縁は口止め部材２下端より距離ｈ１２ｍｍ上方位置に置かれた。
実施例１の液状物詰替装置を用い、容量５００ｍｌの収納容器５の入口部５ｃ外径３２ｍｍに口止め部材２の円筒部２１を嵌合し、容量３００ｍｌの横ｘ幅１００ｍｍ及び縦ｙ長さ２１０ｍｍの略縦長方形状の詰替用袋６を支持部材３の挿着開口部３４に押込み、穿孔部材４の刃先４１ｂにより詰替用袋６に小孔を開けて、液状物が注入孔３３から入口部５ｃを通ってボトル本体５ａ内に急速に流下し、詰替用袋６の重心は入口部５ｃ軸芯を通る鉛直線上近傍から大きくずれることはなく、詰替用袋６を手で支えることなく粘度の高い液状物であっても最後まで円滑に失敗なく移し替えを遂行できた。
【実施例２】
【００１５】
口止め部材２′を厚さ３ｍｍのポリ塩化ビニル製で、半径ｒ′２０．７５ｍｍ、半径Ｒ′２３ｍｍ、傾斜面角度α４２度、傾斜面張出し１０．３ｍｍ、全高さ６５ｍｍとし、加えて円筒部２１′の下端縁に半径ｔ１５ｍｍの正面視円弧状のフランジ２１′ａを付加した。
支持部材３及び穿孔部材４は前記［実施例１］と同様とし、口止め部材２′、支持部材３及び穿孔部材４を組立て液状物詰替装置１′の実施例２を得た。このとき注入孔３３の下縁は口止め部材２′下端より距離ｈ３０ｍｍ上方位置に置かれた。
実施例２の液状物詰替装置を用い、容量８００ｍｌの収納容器５の入口部５ｃ外径４２ｍｍに口止め部材２′の円筒部２１′を圧入して嵌合し、容量７２０ｍｌの横ｘ幅１４０ｍｍ及び縦ｙ長さ２５５ｍｍの略縦長方形状の詰替用袋６を前記［実施例１］と同様に支持部材３に押込み、穿孔部材４により詰替用袋６に小孔を開けて、液状物が注入孔３３から入口部５ｃを通ってボトル本体５ａ内に急速に流下し、最後まで円滑に移し替えを遂行できた。
次に、この口止め部材２′を用い、入口部５ｃ外径を４２ｍｍから順次２７ｍｍまでの複数の収納容器に変えたが、いずれの場合においてもフランジ２１′ａが収納容器５の肩部５ｂに面接触し詰替用袋６の荷重も加えられて円筒部２１′が入口部５ｃに密着保持され、フランジ２１′ａの存在により入口部５ｃの外径変動に幅広く対応し円滑に移し替えを遂行できた。
【００１６】
前記した液状物詰替装置１、１′及び［実施例１］、［実施例２］においてはいずれも穿孔部材４を備え、詰替用袋６を支持部材３に押込んでから小孔を開ける態様につて説明したが、穿孔部材４は必須構成要素ではなくその場合には、詰替用袋６を鋏等で切断した後直ちに支持部材３に押込むことにより、詰替用袋６の重心は入口部５ｃ軸芯を通る鉛直線上近傍から大きくずれることなく移替えが遂行できる。しかし、穿孔部材４を設けることにより鋏等の準備は不要で、簡便で使い勝手に優れており好ましい。
【産業上の利用可能性】
【００１７】
収納容器に液状物詰替をするのに液状物の量の多いもの、粘度の高いものであっても収納容器の入口部におかれた詰替用袋を手で支え続ける必要がなく、労力が大幅に削減可能で、市販の収納容器の入口部の外径変動に柔軟に対応でき、容器リサイクルの環境対策に貢献できる。
【図面の簡単な説明】
【００１８】
【図１】本発明の液状物詰替装置に用いる口止め部材の一例で、（ａ）平面図、（ｂ）正面図である。又本発明の液状物詰替装置に用いる口止め部材の他例で、（ｃ）平面図、（ｄ）正面図である。
【図２】本発明の液状物詰替装置に用いる支持部材の一例で、（ａ）平面図、（ｂ）  正面図、（ｃ）側面図である。
【図３】本発明の液状物詰替装置に用いる穿孔部材の一例で、（ａ）側面図、（ｂ）正面図、（ｃ）斜視図である。
【図４】（ａ）本発明の液状物詰替装置の他例の概略組立て正面図、（ｂ）（ｃ）液状物詰替装置の他例の使用状態説明図である。
【符号の説明】
【００１９】
１、１′  液状物詰替装置
２、２′  口止め部材
２１、２１′  円筒部
２２、２２′  拡開部
３  支持部材
３１  緩傾斜受皿
３２  急傾斜受皿
３３  注入孔
３４  挿着開口部
４  穿孔部材
４１  先端部
４１ａ  基板
４１ｂ  刃先
４２  連結部
４２ａ  取付片
４２ｂ  湾曲片
４２ｃ  接続片
５  収納容器
５ａ  ボトル本体
５ｂ  肩部
５ｃ  入口部
６  詰替用袋
【図１】
2005153935.tif 000003
【図２】
2005153935.tif 000004
【図３】
2005153935.tif 000005
【図４】
2005153935.tif 000006